(57)【要約】【課題】本発明は、第１のアンテナ、第２のアンテナ、第１の通信モジュール及び第２の通信モジュールで構成されるデュアルモード端末機を提供する。【解決手段】本発明は、第１の通信モジュールがLTE基地局から第２の基地局の信号の品質測定命令を受信した場合、第１の通信モジュールは、LTE基地局にランクインジケータ(RI)を１と報告し、レイヤ１を基盤にしてプリコーディングマトリクスインデックス(PMI)を選択して報告し、LTE基地局から第１のアンテナのみを用いてブロック誤り率(BLER)が０．１以下の値である信号を受信するために、チャネル品質インジケータ(CQI)インデックスを低下させて報告することを特徴とする。本発明のデュアルモード端末機は、測定間隙なしにLTE信号を継続的に受信しながら、CDMA信号品質の測定を効果的に行えるだけでなく、CDMA信号品質を測定する間にも受信エラー率を通常の場合と同等の水準に維持することができる。【選択図】図８
2010213275.tif 000002
【特許請求の範囲】
【請求項１】
第１の基地局と通信するための第１の通信モジュールと、
第２の基地局と通信するための第２の通信モジュールと、
前記第１の基地局の信号を送受信し、前記第１の通信モジュールと連結された第１のアンテナと、
前記第１の基地局の信号又は前記第２の基地局の信号のうちの一つの信号を送受信し、前記第１の通信モジュール又は前記第２の通信モジュールのうちの一つの通信モジュールと連結するためのスイッチングモジュールを有する第２のアンテナと、を含み、
前記第１の通信モジュールが前記第１のアンテナ及び前記第２のアンテナを用いて前記第１の基地局の信号を受信する間、前記第１の基地局から前記第２の基地局の信号の品質測定命令を受信した場合、前記スイッチングモジュールは、前記第２のアンテナを前記第１の通信モジュールから前記第２の通信モジュールにスイッチングすることを特徴とするデュアルモード端末機。
【請求項２】
前記第２のアンテナが前記第２の通信モジュールにスイッチングされた場合、
前記第１の通信モジュールは、前記第１のアンテナを用いて前記第１の基地局の信号を受信し、
前記第２の通信モジュールは、前記第２のアンテナを用いて前記第２の基地局の信号の品質測定を行う、請求項１に記載のデュアルモード端末機。
【請求項３】
前記第２の基地局の信号の品質測定が完了した場合、
前記スイッチングモジュールは、前記第２のアンテナを前記第２の通信モジュールから前記第１の通信モジュールにスイッチングする、請求項１に記載のデュアルモード端末機。
【請求項４】
前記第１の基地局は、ＬＴＥ基地局である、請求項１に記載のデュアルモード端末機。
【請求項５】
前記第１の通信モジュールは、前記第１のアンテナ及び前記第２のアンテナを用いて前記第１の基地局の信号を受信する間には、前記ＬＴＥ基地局にランクインジケータ（ＲＩ）を２と報告し、レイヤ２を基盤にしてプリコーディングマトリクスインデックス（ＰＭＩ）を選択して報告する、請求項４に記載のデュアルモード端末機。
【請求項６】
前記第１の通信モジュールは、前記ＬＴＥ基地局から前記第２の基地局の信号の品質測定命令を受信した場合、前記ＬＴＥ基地局にＲＩを１と報告し、レイヤ１を基盤にしてＰＭＩを選択して報告する、請求項５に記載のデュアルモード端末機。
【請求項７】
前記第１の通信モジュールは、前記第１の通信モジュールが前記ＬＴＥ基地局から前記第２の基地局の信号の品質測定命令を受信した場合、前記ＬＴＥ基地局から前記第１のアンテナのみを介してブロック誤り率（ＢＬＥＲ）が０．１以下の値である信号を受信するために、チャネル品質インジケータ（ＣＱＩ）インデックスを低下させて報告する、請求項６に記載のデュアルモード端末機。
【請求項８】
前記第１の通信モジュールは、前記第２の通信モジュールが前記第２の基地局の信号の品質測定を行う間には、前記ＬＴＥ基地局から前記第１のアンテナを用いてＬＴＥ信号を受信し、
前記ＬＴＥ信号は、前記報告したＣＱＩインデックスを反映し、変更された変調および符号化方式（ＭＣＳ）レベルで生成された信号である、請求項７に記載のデュアルモード端末機。
【請求項９】
前記第２の通信モジュールが前記第２の基地局の信号の品質測定を完了した場合、
前記第１の通信モジュールは、前記ＬＴＥ基地局にＲＩを２と報告し、レイヤ２を基盤にしてＰＭＩを選択して報告する、請求項８に記載のデュアルモード端末機。
【請求項１０】
前記第１の通信モジュールは、前記ＬＴＥ基地局に前記ＲＩを１と報告した第１の時点から第１のアンテナでＬＴＥ信号をデコーディングするための設定時間が経過した第２の時点から、前記変更されたＭＣＳレベルで送信された信号を受信する、請求項８に記載のデュアルモード端末機。
【請求項１１】
前記第２の通信モジュールは、前記第２の時点から第２のアンテナのスイッチング時間が経過した第３の時点から、前記第２の基地局の信号の品質測定を行う、請求項１０に記載のデュアルモード端末機。
【請求項１２】
多重アンテナ無線通信システムにおけるデュアルモード端末機の制御方法であって、
第１のアンテナ及び第２のアンテナを用いてＬＴＥ信号を受信し、
ＬＴＥ基地局からＣＤＭＡ信号の品質測定の開始命令を受信し、
前記第１のアンテナを介して前記ＬＴＥ信号を受信するための一つ以上の情報を前記ＬＴＥ基地局に報告し、
前記第１のアンテナのみを用いて前記ＬＴＥ信号を受信すると同時に、前記第２のアンテナを介して前記ＣＤＭＡ信号の品質測定を行い、
前記ＣＤＭＡ信号の品質測定が完了した場合、前記第１のアンテナ及び前記第２のアンテナを用いてＬＴＥ信号を受信することを特徴とするデュアルモード端末機の制御方法。
【請求項１３】
前記一つ以上の情報は、ＲＩが１であるという情報、レイヤ１を基盤にして選択したＰＭＩ、及び前記ＬＴＥ基地局から前記第１のアンテナのみを用いてＢＬＥＲが０．１以下の値である前記ＬＴＥ信号を受信するために減少したＣＱＩインデックスを含む、請求項１２に記載のデュアルモード端末機の制御方法。
【請求項１４】
前記第１のアンテナのみを介して受信した前記ＬＴＥ信号は、前記ＬＴＥ基地局で前記報告したＣＱＩインデックスを反映し、変更されたＭＣＳレベルを用いて生成された、請求項１２に記載のデュアルモード端末機の制御方法。
【発明の詳細な説明】
【技術分野】
【０００１】
本発明は、移動端末機に関するもので、より具体的には、ＣＤＭＡ信号の品質を測定する間にもＬＴＥ信号を受信することができるデュアルモード移動端末機及びそのための制御方法に関するものである。
【背景技術】
【０００２】
デュアルモード携帯端末機は、通信方式の異なる二つの無線通信を支援する携帯端末機であって、主に異種の通信網が混在された地域で使用される。デュアルモード携帯端末機の代表的な例として、ＬＴＥ（Long Term Evolution）方式の無線通信と符号分割多重接続（Code Divisional Multiple Access; ＣＤＭＡ）方式の無線通信が全て利用可能な移動端末機が注目されている。本発明では、ＬＴＥ網、ＣＤＭＡ網のいずれとも通信可能なデュアルモード端末機を例に挙げて説明するが、他の方式の無線通信も適用可能であることは、本発明の属する技術分野で通常の知識を有する者にとって自明である。
【０００３】
ＬＴＥ方式の無線通信では、複数個の送信アンテナと複数個の受信アンテナとを使用して信号を送受信するＭＩＭＯ方式が適用される。ＭＩＭＯ方式による場合、無線通信システムの送信端又は受信端で複数個のアンテナを使用することによって、容量を増大させ、性能を向上させることができる。また、ＣＤＭＡ方式の無線通信でも、ＥＶ―ＤＯ  ＲＥＶ．Ａからダイバーシティ方式のための多重アンテナが必要である。以下、本明細書で、ＭＩＭＯを「多重アンテナ」と称する場合がある。
【０００４】
多重アンテナ技術では、一つのメッセージ全体を受信するために単一アンテナ経路に依存しない。その代わりに、多重アンテナ技術では、複数のアンテナで受信されたデータフラグメントを一つに集めて併合することによってデータを完成する。多重アンテナ技術を使用すれば、特定の大きさのセル領域内でデータ伝送速度を向上させたり、特定データの伝送速度を保障しながらシステムカバレッジを増加させることができる。また、この技術は、移動通信端末及び中継器などに幅広く使用することができる。多重アンテナ技術によれば、単一アンテナを使用していた従来技術による移動通信における伝送量の限界を克服することができる。
【０００５】
一方、従来のデュアルモード端末では、一つの端末装置に実装されるアンテナ個数の制限により、特定の状況でＬＴＥ信号の送受信が中断されるという問題が発生する。
【０００６】
図１は、一般のデュアルモード端末機で発生しうる問題を説明するための図である。
【０００７】
図１を参照すれば、ＬＴＥ網と通信している端末がＣＤＭＡ網へのハンドオーバーを試みる場合、端末は、図１に示すように、基地局（eNode B）からのＬＴＥ信号の受信を中断し、ＣＤＭＡ信号の品質を測定する。ここで、ＣＤＭＡ信号の品質は、例えば、拡張型高速パケットデータ（enhanced High-Rate Packet Data; ｅＨＲＰＤ）測定を意味する。また、ｅＨＲＰＤは、ＬＴＥとの無線通信ネットワーク相互運用性に備えて、３ＧＰＰ２標準委員会で開発した１ｘＥＶ―ＤＯ上位階層プロトコルスタックの新しいバージョンである。
【０００８】
このような品質測定のためのＬＴＥ信号の中間時間を測定間隙という。結局、測定間隙は、ＬＴＥ信号の受信及び送信の中断を意味するので、周波数の効率性が低下することを意味する。
【０００９】
本発明では、測定間隙を発生させずに、ＣＤＭＡ信号の品質測定を行うことができる方法及びそのための装置を提案する。
【発明の概要】
【発明が解決しようとする課題】
【００１０】
以下では、上述したような論議に基づいて多重アンテナ無線通信システムにおけるデュアルモード移動端末機及びそのための制御方法を提案する。
【課題を解決するための手段】
【００１１】
上述したような課題を解決するための本発明のデュアルモード端末機は、第１の基地局と通信するための第１の通信モジュールと、第２の基地局と通信するための第２の通信モジュールと、前記第１の基地局の信号を送受信し、前記第１の通信モジュールと連結された第１のアンテナと、前記第１の基地局の信号又は前記第２の基地局の信号のうちの一つの信号を送受信し、前記第１の通信モジュール又は前記第２の通信モジュールのうちの一つの通信モジュールと連結するためのスイッチングモジュールを有する第２のアンテナと、を含み、前記第１の通信モジュールが前記第１のアンテナ及び前記第２のアンテナを用いて前記第１の基地局の信号を受信する間、前記第１の基地局から前記第２の基地局の信号の品質測定命令を受信した場合、前記スイッチングモジュールは、前記第２のアンテナを前記第１の通信モジュールから前記第２の通信モジュールにスイッチングすることを特徴とする。
【００１２】
また、前記第２のアンテナが前記第２の通信モジュールにスイッチングされた場合、前記第１の通信モジュールは、前記第１のアンテナを用いて第１の基地局の信号を受信し、前記第２の通信モジュールは、前記第２のアンテナを用いて第２の基地局の信号の品質測定を行うことを特徴とする。一方、前記第２の基地局の信号の品質測定が完了した場合、前記スイッチングモジュールは、前記第２のアンテナを前記第２の通信モジュールから前記第１の通信モジュールにスイッチングする。
【００１３】
望ましくは、前記第１の基地局は、ＬＴＥ基地局であり、前記第１の通信モジュールは、前記第１のアンテナ及び前記第２のアンテナを用いて前記第１の基地局の信号を受信する間には、前記ＬＴＥ基地局にランクインジケータ（Rank Indicator; ＲＩ）を２と報告し、レイヤ２を基盤にしてプリコーディングマトリクスインデックス（Precoding Matrix Index; ＰＭＩ）を選択して報告する。一方、前記第１の通信モジュールは、前記ＬＴＥ基地局から前記第２の基地局の信号の品質測定命令を受信した場合、前記ＬＴＥ基地局にＲＩを１と報告し、レイヤ１を基盤にしてＰＭＩを選択して報告する。より望ましくは、前記第１の通信モジュールは、前記ＬＴＥ基地局から前記第１のアンテナのみを介してブロック誤り率（Block Error Rate; ＢＬＥＲ）が０．１以下である値を有する信号を受信するために、チャネル品質インジケータ（Channel Quality Indicator; ＣＱＩ）インデックスも低下させて報告する。
【００１４】
これによって、前記第１の通信モジュールは、前記第２の通信モジュールが前記第２の基地局の信号の品質測定を行う間には、前記ＬＴＥ基地局から前記第１のアンテナを用いてＬＴＥ信号を受信し、前記ＬＴＥ信号は、前記報告したＣＱＩインデックスを反映し、変更されたＭＣＳレベルで生成された信号であることを特徴とする。
【００１５】
また、前記第２の通信モジュールが前記第２の基地局の信号の品質測定を完了した場合、前記第１の通信モジュールは、前記ＬＴＥ基地局にＲＩを２と報告し、レイヤ２を基盤にしてＰＭＩを選択して報告することを特徴とする。
【００１６】
一方、前記第１の通信モジュールは、前記ＬＴＥ基地局に前記ＲＩを１と報告した第１の時点から第１のアンテナでＬＴＥ信号をデコーディングするための設定時間が経過した第２の時点から、前記変更されたＭＣＳレベルで送信された信号を受信し、前記第２の通信モジュールは、前記第２の時点から第２のアンテナのスイッチング時間が経過した第３の時点から、前記第２の基地局の信号の品質測定を行うことを特徴とする。
【００１７】
また、上述したような課題を解決するための本発明の多重アンテナ無線通信システムにおけるデュアルモード端末機の制御方法は、第１のアンテナ及び第２のアンテナを用いてＬＴＥ信号を受信し、ＬＴＥ基地局からＣＤＭＡ信号の品質測定の開始命令を受信し、前記第１のアンテナを用いて前記ＬＴＥ信号を受信するための一つ以上の情報を前記ＬＴＥ基地局に報告し、前記第１のアンテナのみを用いて前記ＬＴＥ信号を受信すると同時に、前記第２のアンテナを用いて前記ＣＤＭＡ信号の品質測定を行い、前記ＣＤＭＡ信号の品質測定が完了した場合、前記第１のアンテナ及び前記第２のアンテナを用いてＬＴＥ信号を受信することを含む。
【００１８】
前記一つ以上の情報は、ＲＩが１であるという情報、レイヤ１を基盤にして選択したＰＭＩ、及び前記ＬＴＥ基地局から前記第１のアンテナのみを用いてＢＬＥＲが０．１以下である値を有する前記ＬＴＥ信号を受信するために減少したＣＱＩインデックスを含むことが望ましい。また、前記第１のアンテナのみを用いて受信した前記ＬＴＥ信号は、前記ＬＴＥ基地局で前記報告したＣＱＩインデックスを反映し、変更されたＭＣＳレベルを用いて生成されたことを特徴とする。
【発明の効果】
【００１９】
本発明の実施例によれば、多重アンテナ無線通信システムでデュアルモード端末機が測定間隙なしにＬＴＥ信号を継続的に受信しながら、ＣＤＭＡ信号品質の測定を効果的に行うことができる。また、本発明の実施例によれば、ＣＤＭＡ信号品質を測定する間にも受信エラー率を通常の場合と同等の水準に維持することができる。
【００２０】
本発明で得られる効果は、上述した効果に制限されず、言及していない他の効果は、下記の記載を通して、本発明の属する技術分野で通常の知識を有する者によって明確に理解されるであろう。
【図面の簡単な説明】
【００２１】
【図１】一般のデュアルモード端末機で発生しうる問題を説明するための図である。
【図２】従来提案されたデュアルモード端末機の構造を示す図である。
【図３】図２に示した端末機の問題を補完したデュアルモード端末機の構造を示す図である。
【図４】従来提案されたデュアルモード端末機の他の構造を示す図である。
【図５】米国のベライゾン社でサービスする周波数帯域幅を示す図である。
【図６】本発明の実施例に係るデュアルモード端末機の構造を示す図である。
【図７】本発明の実施例に係るデュアルモード端末機の動作過程を説明するためのフローチャートである。
【図８】本発明の実施例に係る端末のＣＱＩ／ＰＭＩ／ＲＩオーバーライティング方式を説明するための図である。
【図９】本発明の実施例に係るデュアルモード端末機及び制御方法の性能を説明するための図である。
【図１０】本発明の実施例に係るデュアルモード端末機及び制御方法の性能を説明するための他の図である。
【発明を実施するための形態】
【００２２】
以下、本発明に係る好適な実施形態を添付の図面を参照して詳細に説明する。添付の図面と共に、以下で開示される詳細な説明は、本発明の例示的な実施形態を説明するためのもので、本発明が実施される唯一の実施形態を表すためのものではない。以下の詳細な説明は、本発明の完全な理解を提供するために具体的な細部事項を含む。しかし、当業者であれば、本発明がこのような具体的な細部事項なしでも実施可能であることを理解することができる。例えば、以下の詳細な説明は、主な移動通信システムが３ＧＰＰ  ＬＴＥシステムである場合を仮定して具体的に説明するが、３ＧＰＰ  ＬＴＥに特有の事項を除いては、他の任意の移動通信システムにも適用可能である。
【００２３】
場合によっては、本発明の概念が曖昧になることを避けるために、公知の構造及び装置が省略されたり、各構造及び装置の核心機能を中心にしたブロック図の形式で示される。また、本明細書全体における同一の構成要素に対しては、同一の図面符号を使用して説明する。
【００２４】
併せて、以下の説明において、端末は、ユーザ端末（User Equipment; ＵＥ）、移動局（Mobile Station; ＭＳ）などの移動型又は固定型のユーザ端機器を通称すると仮定する。また、基地局は、Node B、eNode B、基地局などの端末と通信するネットワーク端の任意のノードを通称すると仮定する。
【００２５】
まず、上述した問題点を解決するために提案された従来技術の長所と短所について説明する。測定間隙を発生させずに、ＣＤＭＡ信号の品質測定を行うために、従来は、下記のような端末機の構造が提案された。特に、図２〜図４において、ＣＤＭＡ信号の送受信のためのアンテナが１個のみ示されているが、これは、ＣＤＭＡ信号の品質測定のみのためのアンテナを表したものに過ぎず、ＣＤＭＡ  ＥＶＤＯ  ｒｅｖ．Ａ以上ではダイバーシティアンテナ機能を支援するので、ＣＤＭＡ信号の送受信のためのアンテナが少なくとも２個実装される。
【００２６】
図２は、従来提案されたデュアルモード端末機の構造を示す図である。
【００２７】
図２を参照すれば、いかなる測定間隙の発生をも阻止するために、ＬＴＥ信号の送受信のためのアンテナを別途含んでいることが分かる。ＣＤＭＡ信号の品質測定がＬＴＥ信号の送受信と独立的に行われるので、測定間隙が発生しない。ただし、端末装置の限定された空間に多くのアンテナが実装されることによって、アンテナ間の干渉が増加するという問題がある。
【００２８】
図３は、図２に示した端末機の問題を補完したデュアルモード端末機の構造を示す図である。
【００２９】
すなわち、図２に示した端末装置の面積自体を増加させることにより、アンテナ間の干渉が発生する確率を減少させているが、端末機メーカのデザイン面での要求を充足させるには至っていない。
【００３０】
図４は、従来提案されたデュアルモード端末機の他の構造を示す図である。特に、図４に示した端末機は、ＣＤＭＡのアップリンク信号とＬＴＥダウンリンク信号とを正確に区分可能な高精密結合器／スプリッタを適用したことを特徴とする。
【００３１】
しかし、図５に示すように、米国のベライゾン社で提供するＣＤＭＡデータコアネットワーク（Data Core Network; ＤＣＮ）アップリンク（UpLink; ＵＬ）帯域とＬＴＥ  ＵＬ帯域との間の間隔が３７ＭＨｚと非常に狭いことから、現在の技術ではＣＤＭＡ  ＤＣＮ  ＵＬ帯域とＬＴＥ  ＵＬ帯域とを区分可能な高精密結合器／スプリッタの具現化が非常に難しいだけでなく、具現化が可能であるとしても価格の面で現実性が薄いという問題がある。
【００３２】
したがって、本発明では、従来技術の問題点を解決するとともに、ＬＴＥスペック又はＣＤＭＡスペックの変更なしに、測定間隙のないＣＤＭＡ信号の品質測定を行うことができるデュアルモード端末機を提案する。
【００３３】
図６は、本発明の実施例に係るデュアルモード端末機の構造を示す図である。
【００３４】
図６を参照すれば、本発明の実施例に係るデュアルモード端末機のアンテナ０は、ＬＴＥ信号専用アンテナであり、アンテナ１は、スイッチングを通してＬＴＥ信号の送受信又はＣＤＭＡ信号の送受信を行うことができる。また、本発明の端末機は、ＣＤＭＡ信号をアンテナ１を用いて測定する間、アンテナ０のみを介してＬＴＥ信号の送受信が行われることを特徴とする。したがって、ＬＴＥ網とＣＤＭＡ網との厳しいタイミング同期が必要でない。
【００３５】
図７は、本発明の実施例に係るデュアルモード端末機の動作過程を説明するためのフローチャートである。特に、図７は、ＬＴＥ網に連結された端末がＣＤＭＡ網へのハンドオーバーを行うためにＣＤＭＡ信号を測定する状況での動作過程を示す。
【００３６】
図７を参照すると、端末は、ステップ７００でアンテナ０及びアンテナ１の全てを介してＬＴＥ信号を受信し、周期的に又は非周期的にステップ７０５のようにＬＴＥ信号の品質を測定する。
【００３７】
また、ステップ７１０で測定されたＬＴＥ信号の品質がしきい値以下であるか否かを判断し、ＬＴＥ信号の品質がしきい値を超える場合、ステップ７００に戻り、アンテナ０及びアンテナ１の全てを介してＬＴＥ信号を受信する。
【００３８】
しかし、ＬＴＥ信号の品質がしきい値以下である場合、ＬＴＥ網は、ＣＤＭＡ信号品質測定の開始命令を送信し、端末は、ステップ７１５でこのような命令を受信する。引き続いて、ステップ７２０で、アンテナ１は、ＬＴＥモデムからＣＤＭＡモデムに連結されるようにスイッチングされる。
【００３９】
したがって、端末は、ステップ７２５のようにアンテナ０のみを用いて継続的にＬＴＥ信号を受信し、これと同時に、ステップ７３０では、アンテナ１を用いてＣＤＭＡ信号品質の測定を行う。
【００４０】
ＣＤＭＡ信号品質の測定が完了すれば、アンテナ１が再びＣＤＭＡモデムからＬＴＥモデムにスイッチングされ、ＣＤＭＡモデムは、ＬＴＥモデムに測定結果を伝達する。このような測定結果は、ＬＴＥモデムで適切な過程を経てＬＴＥ基地局に報告される。
【００４１】
上述したように、本発明の実施例に係るデュアルモード端末機がアンテナ０のみを介してＬＴＥ信号の受信する場合において、基地局は、単一レイヤを通してＭＩＭＯ送信を行い、性能下落をもたらすとしても、１個のアンテナの使用によるＳＮＲ損失を反映して信号を送信しなければならない。
【００４２】
すなわち、基地局は、端末が一つのアンテナを用いてＬＴＥ信号を受信することを認知し、これを反映して信号を送信しなければならない。このために、本発明では、端末がＣＱＩ／ＰＭＩ／ＲＩオーバーライティング方式を行うことを提案する。
【００４３】
ＣＱＩ／ＰＭＩ／ＲＩオーバーライティングによれば、端末が実際に測定した適正なランクが２個である場合にも、基地局には一時的にランク１と報告し、ＰＭＩもランク１と仮定した上で、表１でレイヤ１のプリコーディング行列のインデックスを選択して送信する。ここで、レイヤとは、多重アンテナ技術を使用して送る互いに異なる情報をそれぞれ称し、レイヤの個数は、互いに異なる情報を送ることができる最大数であるランクより大きくならない。これは、数式的に、
【００４４】
【数１】
2010213275.tif 000003
のように表現することができる。Ｈは、チャンネル行列を意味する。ここで、ＮTは、送信アンテナの個数を意味し、ＮRは、受信アンテナの個数を意味する。
【００４５】
【表１】
2010213275.tif 000004
【００４６】
また、ＣＱＩは、表２を参照して０．１以下のＢＬＥＲを満足するように、２個のアンテナで送信するときよりも低いＣＱＩインデックスを報告する。
【００４７】
【表２】
2010213275.tif 000005
【００４８】
端末からＣＱＩインデックスの報告を受けたＬＴＥ基地局は、報告されたＣＱＩインデックスに基づいて変調および符号化方式（Modulation and Coding Scheme; ＭＣＳ）値を一時的に変更し、報告を受けたＲＩ及びＰＭＩに基づいて一時的に一つのレイヤでダウンリンク信号を送信する。以下、このようなＣＱＩ／ＰＭＩ／ＲＩオーバーライティング方式について図面を参照して詳細に説明する。
【００４９】
図８は、本発明の実施例に係る端末のＣＱＩ／ＰＭＩ／ＲＩオーバーライティング方式を説明するための図である。特に、図８において、端末のＣＱＩ／ＰＭＩ報告周期は２０ｍｓ、ＲＩ報告周期は８０ｍｓ、ＣＤＭＡ信号品質の測定時間、すなわち、測定を行う期間を６０ｍｓと仮定する。ＬＴＥ基地局は、ＣＤＭＡ信号品質の測定を端末に実行させる命令を送信するとき、充分な時間マージンを有するオーバーライティングウィンドウを設定するように命令する。
【００５０】
図８において、ＢＥＧＩＮMEASとＥＮＤMEASは、それぞれＣＤＭＡ信号品質測定の開始時間と終了時間を表す。また、ＭＡＲＧＩＮBEGは、一つのアンテナでＬＴＥ信号を受信する開始時点とＣＤＭＡ信号品質測定の開始時点との差を意味し、アンテナスイッチングとＣＤＭＡ信号品質測定のためのプロセスを準備するためのものである。ＭＡＲＧＩＮENDは、ＣＤＭＡ信号品質測定の終了時点と一つのアンテナを介したＬＴＥ信号受信の終了時点との差を意味し、これも、ＣＤＭＡ信号品質測定のためのプロセスの終了とアンテナスイッチングのためのものである。ＭＡＲＧＩＮBEGとＭＡＲＧＩＮENDは、オーバーライティングウィンドウに含まれないことがある。
【００５１】
ＢＥＧＩＮWINDOWは、オーバーライティングウィンドウの開始点を表し、ＢＥＧＩＮMEASでＭＡＲＧＩＮBEG以前に最後にＲＩを報告した時点であることが望ましい。また、ＥＮＤWINDOWは、オーバーライティングウィンドウの終了点を表し、ＥＮＤMEASでＭＡＲＧＩＮEND以後に最初にＲＩを報告した時点であることが望ましい。
【００５２】
図８を参照すると、本発明のデュアルモード端末機は、ＣＤＭＡ信号品質測定命令を受信した後、ＲＩを１と報告すると同時に、オーバーライティングウィンドウを設定する。このとき、ＰＭＩもＲＩを１と仮定して選択報告し、ＣＱＩは、ＢＬＥＲが０．１未満になるように設定して報告する。
【００５３】
参照番号１の時間マージンの間、端末は、ＬＴＥ信号を一つのアンテナでデコーディングするための準備をしながら、以後は、ＬＴＥ信号をアンテナ０のみで受信する。このとき、アンテナ１で受信されるＬＴＥ信号は、無視するように設定することが望ましい。次に、参照番号２までの時間マージンの間、アンテナスイッチングを完了し、参照番号３の時間マージンの間、ＣＤＭＡ信号品質測定のためのプロセスを駆動した後、ＣＤＭＡ信号品質の測定を行う。
【００５４】
参照番号４、５及び６は、参照番号３、２及び１にそれぞれ対応する時間マージンを表す。すなわち、参照番号４は、ＣＤＭＡ信号品質測定のためのプロセスの終了のための時間マージンで、参照番号５は、アンテナスイッチングのための時間マージンで、参照番号６は、ＬＴＥ信号を二つのアンテナでデコーディングするための準備期間である。
【００５５】
以上説明したように、ＬＴＥ基地局は、既存の標準文書によって動作する。すなわち、端末で報告されたＣＱＩを基盤にしてＭＣＳレベルを変更し、報告されたＲＩ及びＰＭＩを基盤にして一つのレイヤを通してダウンリンク信号を送信する。
【００５６】
図９は、本発明の実施例に係るデュアルモード端末機及び制御方法の性能を説明するための図である。特に、図９では、２個のアンテナを有するＬＴＥ基地局が伝送ダイバーシティ方式で単一使用者にダウンリンク信号を送信すると仮定した。
【００５７】
図９を参照すると、ＬＴＥ基地局が、ダウンリンク信号のＳＮＲが０ｄＢになるように送信した場合と、端末が２個のアンテナを介してＬＴＥ信号を受信する場合と、１個のアンテナを介してＬＴＥ信号を受信し、基地局のＭＣＳレベルの変化がない場合と、１個のアンテナを介してＬＴＥ信号を受信し、基地局がＭＣＳレベルを変更して送信した場合のＢＬＥＲ値を表す。
【００５８】
具体的には、基地局は、伝送ダイバーシティ方式のうち空間周波数ブロックコーディング（Space Frequency Block Code; ＳＦＢＣ）方式を用いてＭＣＳレベル７（ＣＱＩインデックス５）でＬＴＥ信号を送信し、端末が２個のアンテナを介してこのようなＬＴＥ信号を受信した場合、ＢＬＥＲが０．１以下の値であるが、単純に端末が１個のアンテナを介してこのようなＬＴＥ信号を受信した場合、ＢＬＥＲが１近くに増加する。しかし、端末がＣＱＩ／ＰＭＩ／ＲＩオーバーライティング方式を用いて基地局に情報を提供し、これを反映してＭＣＳレベル３（ＣＱＩインデックス３）に低下させてＬＴＥ信号を送信する場合、ＢＬＥＲは２個のアンテナで受信する場合と同様になる。
【００５９】
基地局がＭＣＳレベルを変更した場合の性能下落幅がどの程度であるかを知る必要がある。単一アンテナでＬＴＥ信号を受信する時間を１００ｍｓ、測定周期を４８０ｍｓと仮定する場合、平均データ伝送率は５５０３ｋｂｐｓで、性能下落幅は１１．２４％であることが分かる。
【００６０】
図１０は、本発明の実施例に係るデュアルモード端末機及び制御方法の性能を説明するための他の図である。特に、図１０では、２個のアンテナを有するＬＴＥ基地局が閉ループ空間多重化（Spatial Multiplexing; ＳＭ）方式で単一ユーザにダウンリンク信号を送信すると仮定した。
【００６１】
具体的には、基地局は、ＭＣＳレベル８（ＣＱＩインデックス６）でＬＴＥ信号を送信し、端末が２個のアンテナを介してこのようなＬＴＥ信号を受信した場合、ＢＬＥＲが０．１以下の値であるが、単純に端末が１個のアンテナを介してこのようなＬＴＥ信号を受信した場合、ＢＬＥＲが１近くに増加する。しかし、端末がＣＱＩ／ＰＭＩ／ＲＩオーバーライティング方式を用いて基地局に情報を提供し、これを反映してＭＣＳレベル５（ＣＱＩインデックス４）に低下させてＬＴＥ信号を送信する場合、ＢＬＥＲは２個のアンテナを介して受信する場合と同様になる。
【００６２】
単一アンテナでＬＴＥ信号を受信する時間を１００ｍｓ、測定周期を４８０ｍｓと仮定する場合、基地局がＭＣＳレベルを変更した場合の平均データ伝送率は４３９２ｋｂｐｓで、性能下落幅は７．７％であることが分かる。
【００６３】
以上説明したように、本発明の実施例に係るデュアルモード端末機及びそのための制御方法による場合、若干の性能下落をもたらすとしても、測定間隙なしにＬＴＥ信号を継続的に受信しながらＣＤＭＡ信号品質測定を行うことができる。
【産業上の利用可能性】
【００６４】
本発明は、その特徴から逸脱しない範囲で他の特定の形態で具体化されることが当業者にとって自明である。したがって、上述した詳細な説明は、全ての面で制限的に解釈されてはならず、例示的なものとして考慮されなければならない。本発明の範囲は、添付した特許請求の範囲の合理的な解釈によって決定されなければならず、本発明の等価的範囲内での全ての変更は本発明の範囲に含まれる。
【符号の説明】
【００６５】
１〜６    時間マージン
【図１】
2010213275.tif 000006
【図２】
2010213275.tif 000007
【図３】
2010213275.tif 000008
【図４】
2010213275.tif 000009
【図５】
2010213275.tif 000010
【図６】
2010213275.tif 000011
【図７】
2010213275.tif 000012
【図８】
2010213275.tif 000013
【図９】
2010213275.tif 000014
【図１０】
2010213275.tif 000015